(57)【要約】【課題】異物により撮像画像が劣化しないようにすること。【解決手段】ボディアダプタ２００は、レンズアダプタ３００が着脱可能に装着される第１マウント部２０２と、カメラボディ１００に着脱可能に装着される第２マウント部２０１と、ＢＡ側開口部を被覆する被覆位置と、ＢＡ側開口部を被覆しない非被覆位置との間を移動可能なＢＡ側被覆部材と、それらの被覆位置と非被覆位置との間におけるＢＡ側被覆部材の移動を案内する機構を備える。レンズアダプタ３００は、第１マウント部２０２が着脱可能に装着される第３マウント部３０１と、交換レンズ４００に着脱可能に装着される第４マウント部３０２と、ＬＡ側開口部を被覆する被覆位置と、ＬＡ側開口部を被覆しない非被覆位置との間を移動可能なＬＡ側被覆部材と、それらの被覆位置と非被覆位置との間におけるＢＡ側被覆部材の移動を案内する機構を備える。【選択図】図１
2014232212.tif 000002
【特許請求の範囲】
【請求項１】
カメラボディと、交換レンズと、前記交換レンズに着脱可能に装着されるレンズアダプタと共にカメラシステムを構成する筒状のボディアダプタであって、
第１端に有する開口部の外側に設けられ、前記レンズアダプタが着脱可能に装着される第１マウント部と、
前記第１端と対向する第２端に設けられ、前記カメラボディに着脱可能に装着される第２マウント部と、
前記第１端に設けられ、前記開口部を被覆する被覆位置と、前記開口部を被覆しない非被覆位置との間を移動可能な被覆部材と、
前記被覆位置と前記非被覆位置との間における前記被覆部材の移動を案内するスライド機構と、
を備えることを特徴とするボディアダプタ。
【請求項２】
請求項１に記載のボディアダプタにおいて、
前記被覆部材は、硬質材料の板であることを特徴とするボディアダプタ。
【請求項３】
請求項２に記載のボディアダプタにおいて、
前記被覆位置にある前記被覆部材を、前記ボディアダプタの側面に向けて移動させるヒンジ機構を更に備えることを特徴とするボディアダプタ。
【請求項４】
請求項２または３に記載のボディアダプタにおいて、
前記被覆部材が前記被覆位置と前記非被覆位置との間の移動中に、前記被覆部材に付着した異物を除去する除去部材を更に備えることを特徴とするボディアダプタ。
【請求項５】
請求項１に記載のボディアダプタにおいて、
前記被覆部材は、可撓性を有するフィルムであることを特徴とするボディアダプタ。
【請求項６】
請求項５に記載のボディアダプタにおいて、
前記被覆部材を巻かれた状態で収納するフィルム供給部と、
前記フィルム供給部から供給され前記開口部を被覆した前記被覆部材を巻き取るフィルム巻取部と、
を備えることを特徴とするボディアダプタ。
【請求項７】
請求項５または６に記載のボディアダプタにおいて、
前記被覆部材は、移動方向に、前記開口部を被覆できる大きさの透明部と粘着性を有する粘着部とが交互に設けられることを特徴とするボディアダプタ。
【請求項８】
カメラボディと、ボディアダプタと、レンズアダプタと、交換レンズとを備えるカメラシステムであって、
前記ボディアダプタは、
第１端に有する第１開口部の外側に設けられ、前記レンズアダプタが着脱可能に装着される第１マウント部と、
前記第１端に対向する第２端に設けられ、前記カメラボディに着脱可能に装着される第２マウント部と、
前記第１端に設けられ、前記第１開口部を被覆する第１被覆位置と、前記開口部を被覆しない第１非被覆位置との間を移動可能な第１被覆部材と、
前記第１被覆位置と前記第１非被覆位置との間における前記第１被覆部材の移動を案内する第１スライド機構と、
を備え、
前記レンズアダプタは、
第３端に有する第２開口部の外側に設けられ、前記第１マウント部が着脱可能に装着される第３マウント部と、
前記第３端に対向する第４端に設けられ、前記交換レンズに着脱可能に装着される第４マウント部と、
前記第３端に設けられ、前記第２開口部を被覆する第２被覆位置と、前記開口部を被覆しない第２非被覆位置との間を移動可能な第２被覆部材と、
前記第２被覆位置と前記第２非被覆位置との間における前記第２被覆部材の移動を案内する第２スライド機構と、
を備えることを特徴とするカメラシステム。
【請求項９】
請求項８に記載のカメラシステムにおいて、
前記第１スライド機構と前記第２スライド機構は、前記第１被覆部材と前記第２被覆部材とを同時に同一方向に移動させることを特徴とするカメラシステム。
【請求項１０】
請求項８または９に記載のカメラシステムにおいて、
前記第１被覆部材および前記第２被覆部材は、硬質材料の板であることを特徴とするカメラシステム。
【請求項１１】
請求項１０に記載のカメラシステムにおいて、
前記ボディアダプタは、前記第１被覆位置にある前記第１被覆部材を、前記ボディアダプタの側面に向けて移動させる第１ヒンジ機構を更に備え、
前記レンズアダプタは、前記第１被覆位置にある前記第１被覆部材を、前記レンズアダプタの側面に向けて移動させる第２ヒンジ機構を更に備えることを特徴とするカメラシステム。
【請求項１２】
請求項１０または１１のいずれか一項に記載のカメラシステムにおいて、
前記ボディアダプタは、前記第１被覆部材が前記第１被覆位置と前記第１非被覆位置との間を移動しているときに、前記第１被覆部材に付着した異物を除去する除去部材を更に備え、
前記レンズアダプタは、前記第２被覆部材が前記第２被覆位置と前記第２非被覆位置との間を移動しているときに、前記第２被覆部材に付着した異物を除去する除去部材を更に備えることを特徴とするカメラシステム。
【請求項１３】
請求項８または９に記載のカメラシステムにおいて、
前記第１被覆部材および前記第２被覆部材は、可撓性を有するフィルムであることを特徴とするカメラシステム。
【請求項１４】
請求項１３に記載のカメラシステムにおいて、
前記ボディアダプタは、
前記第１被覆部材を巻かれた状態で収納する第１フィルム供給部と、
前記第１フィルム供給部から供給され前記第１開口部を被覆した前記第１被覆部材を巻き取る第１フィルム巻取部と、を更に備え、
前記レンズアダプタは、
前記第２被覆部材を巻かれた状態で収納する第２フィルム供給部と、
前記第２フィルム供給部から供給され前記第２開口部を被覆した前記第２被覆部材を巻き取る第２フィルム巻取部と、を更に備えることを特徴とするカメラシステム。
【請求項１５】
請求項８から１４のいずれか一項に記載のカメラシステムにおいて、
前記第１被覆部材および前記第２被覆部材のいずれか少なくとも一方は、移動方向に、透明部と、粘着性を有する粘着部とが交互に設けられ、
前記第１被覆部材に前記透明部と前記粘着部とが設けられている場合は、当該透明部は、前記第１開口部を被覆できる大きさを有し、
前記第２被覆部材に前記透明部と前記粘着部とが設けられている場合は、当該透明部は、前記第２開口部を被覆できる大きさを有することを特徴とするカメラシステム。
【請求項１６】
請求項１５に記載のカメラシステムにおいて、
前記第１フィルム巻取部は、第１シャフトを備え、
前記第２フィルム巻取部は、第２シャフトを備え、
前記第１スライド機構および前記第２スライド機構は、前記第１シャフトと前記第２シャフトとの間に偶数個のギヤを備えることを特徴とするカメラシステム。
【請求項１７】
カメラボディと、交換レンズと、前記交換レンズに着脱可能に装着されるレンズアダプタと共にカメラシステムを構成するボディアダプタに設けられるフィルム供給装置とフィルム巻取装置であって、
前記フィルム供給装置は、可撓性を有する被覆部材を巻かれた状態で収納し、
前記フィルム巻取装置は、前記フィルム供給装置から供給され前記ボディアダプタの開口部を被覆した前記被覆部材を巻き取り、
前記フィルム供給装置と前記フィルム巻取装置との一方が前記ボディアダプタに着脱可能に装着されることを特徴とするフィルム供給装置とフィルム巻取装置。
【請求項１８】
カメラボディと、交換レンズと、前記カメラボディに着脱可能に装着されるボディアダプタと共にカメラシステムを構成するレンズアダプタに設けられるフィルム供給装置とフィルム巻取装置であって、
前記フィルム供給装置は、可撓性を有する被覆部材を巻かれた状態で収納し、
前記フィルム巻取装置は、前記フィルム供給装置から供給され前記レンズアダプタの開口部を被覆した前記被覆部材を巻き取り、
前記フィルム供給装置と前記フィルム巻取装置との一方が前記レンズアダプタに着脱可能に装着されることを特徴とするフィルム供給装置とフィルム巻取装置。
【請求項１９】
請求項１７または１８に記載のフィルム供給装置とフィルム巻取装置において、
前記被覆部材は、移動方向に、前記開口部を被覆できる大きさの透明部と粘着性を有する粘着部とが交互に設けられることを特徴とするフィルム供給装置とフィルム巻取装置。
【請求項２０】
請求項１７から１９のいずれか一項に記載のフィルム供給装置とフィルム巻取装置において、
前記フィルム供給装置と前記フィルム巻取装置とが一体となって、装着されることを特徴とするフィルム供給装置とフィルム巻取装置。
【請求項２１】
カメラボディと、交換レンズと、前記カメラボディに着脱可能に装着されるボディアダプタと共にカメラシステムを構成する筒状のレンズアダプタであって、
第１端に有する開口部の外側に設けられ、前記ボディアダプタが着脱可能に装着される第１マウント部と、
前記第１端と対向する第２端に設けられ、前記交換レンズに着脱可能に装着される第２マウント部と、
前記第１端に設けられ、前記開口部を被覆する被覆位置と、前記開口部を被覆しない非被覆位置との間を移動可能な被覆部材と、
前記被覆位置と前記非被覆位置との間における前記被覆部材の移動を案内するスライド機構と、
を備えることを特徴とするレンズアダプタ。
【請求項２２】
請求項２１に記載のレンズアダプタにおいて、
前記被覆部材は、硬質材料の板であることを特徴とするレンズアダプタ。
【請求項２３】
請求項２２に記載のレンズアダプタにおいて、
前記被覆位置にある前記被覆部材を、前記レンズアダプタの側面に向けて移動させるヒンジ機構を更に備えることを特徴とするレンズアダプタ。
【請求項２４】
請求項２２または２３に記載のレンズアダプタにおいて、
前記第１被覆部材が前記被覆位置と前記非被覆位置との間の移動中に、前記第１被覆部材に付着した異物を除去する除去部材を更に備えることを特徴とするレンズアダプタ。
【請求項２５】
請求項２１に記載のレンズアダプタにおいて、
前記被覆部材は、可撓性を有するフィルムであることを特徴とするレンズアダプタ。
【請求項２６】
請求項２５に記載のレンズアダプタにおいて、
前記被覆部材を巻かれた状態で収納するフィルム供給部と、
前記フィルム供給部から供給され前記開口部を被覆した前記被覆部材を巻き取るフィルム巻取部と、
を備えることを特徴とするレンズアダプタ。
【請求項２７】
請求項２５または２６に記載のレンズアダプタにおいて、
前記被覆部材は、移動方向に、前記開口部を被覆できる大きさの透明部と粘着性を有する粘着部とが交互に設けられることを特徴とするレンズアダプタ。
【発明の詳細な説明】
【技術分野】
【０００１】
本発明はボディアダプタ、カメラシステム、フィルム供給装置とフィルム巻取装置、およびレンズアダプタに関する。
【背景技術】
【０００２】
交換レンズをカメラボディに装着したとき、それらの結合部が水密構造を構成するレンズ交換式のカメラシステムが知られている（特許文献１）。特許文献１のカメラシステムでは、交換レンズおよびカメラボディが相互に結合されるマウント部に平面ガラス等の透明部材を有している。
【先行技術文献】
【特許文献】
【０００３】
【特許文献１】特開平９―９０４６４号公報
【発明の概要】
【発明が解決しようとする課題】
【０００４】
レンズ交換式のカメラシステムにおいて、雨天や粉塵などの環境の中でレンズ交換を行う場合、カメラシステムを構成する各構成物品の内部に水滴や粉塵が侵入しないように保護することが望ましい。しかし、平面ガラスなどの透明部材を用いて保護した状態でレンズ交換を行う場合、透明部材に水滴や粉塵などの異物が付着して、撮像画像が劣化するおそれがある。
【課題を解決するための手段】
【０００５】
本発明の一態様によるボディアダプタは、カメラボディと、交換レンズと、交換レンズに着脱可能に装着されるレンズアダプタと共にカメラシステムを構成する筒状のボディアダプタであって、第１端に有する開口部の外側に設けられ、レンズアダプタが着脱可能に装着される第１マウント部と、第１端と対向する第２端に設けられ、カメラボディに着脱可能に装着される第２マウント部と、第１端に設けられ、開口部を被覆する被覆位置と、開口部を被覆しない非被覆位置との間を移動可能な被覆部材と、被覆位置と非被覆位置との間における被覆部材の移動を案内するスライド機構と、を備えることを特徴とする。
【０００６】
本発明の別の一態様によるカメラシステムは、カメラボディと、ボディアダプタと、レンズアダプタと、交換レンズとを備えるカメラシステムであって、ボディアダプタは、第１端に有する第１開口部の外側に設けられ、レンズアダプタが着脱可能に装着される第１マウント部と、第１端に対向する第２端に設けられ、カメラボディに着脱可能に装着される第２マウント部と、第１端に設けられ、第１開口部を被覆する第１被覆位置と、開口部を被覆しない第１非被覆位置との間を移動可能な第１被覆部材と、第１被覆位置と第１非被覆位置との間における第１被覆部材の移動を案内する第１スライド機構と、を備え、レンズアダプタは、第３端に有する第２開口部の外側に設けられ、第１マウント部が着脱可能に装着される第３マウント部と、第３端に対向する第４端に設けられ、交換レンズに着脱可能に装着される第４マウント部と、第３端に設けられ、第２開口部を被覆する第２被覆位置と、開口部を被覆しない第２非被覆位置との間を移動可能な第２被覆部材と、第２被覆位置と第２非被覆位置との間における第２被覆部材の移動を案内する第２スライド機構と、を備えることを特徴とする。
【０００７】
本発明による別の一態様によるフィルム供給装置とフィルム巻取装置は、カメラボディと、交換レンズと、交換レンズに着脱可能に装着されるレンズアダプタと共にカメラシステムを構成するボディアダプタに設けられるフィルム供給装置とフィルム巻取装置とであって、フィルム供給装置は、可撓性を有する被覆部材を巻かれた状態で収納し、フィルム巻取装置は、フィルム供給装置から供給されボディアダプタの開口部を被覆した被覆部材を巻き取り、フィルム供給装置とフィルム巻取装置との一方がボディアダプタに着脱可能に装着されることを特徴とする。
本発明による別の一態様によるフィルム供給装置とフィルム巻取装置は、カメラボディと、交換レンズと、カメラボディに着脱可能に装着されるボディアダプタと共にカメラシステムを構成するレンズアダプタに設けられるフィルム供給装置とフィルム巻取装置であって、フィルム供給装置は、可撓性を有する被覆部材を巻かれた状態で収納し、フィルム巻取装置は、フィルム供給装置から供給されレンズアダプタの開口部を被覆した被覆部材を巻き取り、フィルム供給装置とフィルム巻取装置との一方がレンズアダプタに着脱可能に装着されることを特徴とする。
【０００８】
本発明の別の一態様によるレンズアダプタは、カメラボディと、交換レンズと、カメラボディに着脱可能に装着されるボディアダプタと共にカメラシステムを構成する筒状のレンズアダプタであって、第１端に有する開口部の外側に設けられ、ボディアダプタが着脱可能に装着される第１マウント部と、第１端と対向する第２端に設けられ、交換レンズに着脱可能に装着される第２マウント部と、第１端に設けられ、開口部を被覆する被覆位置と、開口部を被覆しない非被覆位置との間を移動可能な被覆部材と、被覆位置と非被覆位置との間における被覆部材の移動を案内するスライド機構と、を備えることを特徴とする。
【発明の効果】
【０００９】
本発明によれば、レンズ交換時に被覆部材に付着した異物により撮像画像が劣化しない。
【図面の簡単な説明】
【００１０】
【図１】本発明の第１の実施の形態によるカメラシステムの概略ブロック図である。
【図２】（ａ）本発明の第１の実施の形態によるボディアダプタの正面図の一例である。（ｂ）本発明の第１の実施の形態によるレンズアダプタの正面図の一例である。
【図３】本発明の第１の実施の形態によるボディアダプタとレンズアダプタとの結合に関するカメラシステムの概略側面図である。
【図４】本発明の第１の実施の形態によるボディアダプタとレンズアダプタとの結合に関するカメラシステムの概略側面図である。
【図５】本発明の第１の実施の形態によるボディアダプタとレンズアダプタとの結合に関するカメラシステムの概略側面図である。
【図６】本発明の第２の実施の形態によるカメラシステムの概略ブロック図である。
【図７】（ａ）本発明の第２の実施の形態によるボディアダプタの正面図の一例である。（ｂ）本発明の第２の実施の形態によるレンズアダプタの正面図の一例である。
【図８】被覆部材の巻き取りに関する駆動機構の概略図である。
【図９】本発明の第２の実施の形態によるボディアダプタとレンズアダプタとの結合に関するカメラシステムの概略側面図である。
【図１０】本発明の第２の実施の形態による被覆部材を図示した図である。
【図１１】被覆部材の巻き取りに関する制御ブロック図である。
【図１２】供給カセットと巻取カセットとが一体となったフィルムカセットの斜視図である。
【発明を実施するための形態】
【００１１】
―第１の実施の形態―
（カメラシステムの構成と耐環境性能）
図１は、本発明の第１の実施の形態によるカメラシステムの概略ブロック図である。図１に示すカメラシステム１は、レンズ交換式であって、カメラボディ１００とボディアダプタ２００とレンズアダプタ３００と交換レンズ４００とを備える。
【００１２】
カメラボディ１００には、ボディアダプタ２００または交換レンズ４００が着脱可能に装着されるバヨネット式のボディ側マウント部１０１が設けられている。ボディアダプタ２００には、詳細を後述する第１マウント部２０２と、バヨネット式の第２マウント部２０１が設けられている。第２マウント部２０１は、カメラボディ１００のボディ側マウント部１０１に着脱可能に装着される。第１マウント部２０２には、レンズアダプタ３００が着脱可能に装着される。
【００１３】
レンズアダプタ３００には、詳細を後述する第３マウント部３０１と、バヨネット式の第４マウント部３０２が設けられている。第３マウント部３０１は、ボディアダプタ２００の第１マウント部２０２に着脱可能に装着される。第４マウント部３０２には、交換レンズ４００が着脱可能に装着される。交換レンズ４００には、レンズアダプタ３００またはカメラボディ１００が着脱可能に装着されるレンズ側マウント部４０１が設けられている。
【００１４】
図１では、ボディ側マウント部１０１と第２マウント部２０１、第１マウント部２０２と第３マウント部３０１、および第４マウント部３０２とレンズ側マウント部４０１が互いに装着された状態が図示されている。
【００１５】
カメラボディ１００には、撮像素子１０２が内蔵されている。被写体からの光束は、ボディアダプタ２００とレンズアダプタ３００と交換レンズ４００とを通過して、撮像素子１０２の受光面に被写体像を結像する。撮像素子１０２は、受光面に結像した被写体像を撮像して、撮像画像を出力する。出力した撮像画像は、スルー画像として不図示の表示部に表示されたり、記録用画像に変換されて不図示の記録媒体に記録される。
【００１６】
ボディ側マウント部１０１と第２マウント部２０１と第１マウント部２０２と第３マウント部３０１と第４マウント部３０２とレンズ側マウント部４０１とは、その内側にそれぞれ開口部を有する。被写体からの光束は、これらの開口部を通過する。
【００１７】
ボディ側マウント部１０１に何も装着されていない場合、ボディ側マウント部１０１の内側の開口部を通ってカメラボディ１００の内部に水滴や粉塵などの異物が侵入するおそれがある。一方で、ボディ側マウント部１０１と第２マウント部２０１は、両者が結合したときに、その結合部が少なくとも防滴性と防塵性を発揮できるような構造となっている。換言すると、ボディ側マウント部１０１と第２マウント部２０１の結合部から直接カメラボディ１００の内部に水滴や粉塵などの異物が侵入することはない。
【００１８】
レンズ側マウント部４０１に何も装着されていない場合も同様に、レンズ側マウント部４０１の内側の開口部を通って交換レンズ４００の内部に水滴や粉塵などの異物が侵入するおそれがある。一方で、レンズ側マウント部４０１に第４マウント部３０２は、両者が結合したときに、その結合部が少なくとも防滴性と防塵性を発揮できるような構造となっている。換言すると、レンズ側マウント部４０１と第４マウント部３０２の結合部から交換レンズ４００の内部に水滴や粉塵などの異物が侵入することはない。
【００１９】
図２（ａ）は、ボディアダプタ２００を第１マウント部２０２側から見た正面図である。以降、ボディアダプタ２００のことをＢＡと略記することがある。図２（ａ）に示すように第１マウント部２０２の内側の破線で示したＢＡ側開口部５００は、強化ガラスや樹脂板などの硬質材料で構成される矩形のＢＡ側被覆部材５０１により被覆されている。ＢＡ側開口部５００がＢＡ側被覆部材５０１により被覆されているとき、第１マウント部２０２は水密構造を構成する。
【００２０】
図２（ｂ）は、レンズアダプタ３００の第３マウント部３０１の正面図である。以降、レンズアダプタ３００のことをＬＡと略記することがある。図２（ｂ）に示すように、第３マウント部３０１の内側の破線で示したＬＡ側開口部６００は、強化ガラスや樹脂板などの硬質材料で構成される矩形のＬＡ側被覆部材６０１により被覆されている。ＬＡ側開口部６００がＬＡ側被覆部材６０１により被覆されているとき、第３マウント部３０１は水密構造を構成する。
【００２１】
（マウント方式）
図１に示したボディ側マウント部１０１と第２マウント部２０１、およびレンズ側マウント部４０１と第４マウント部３０２は、たとえばバヨネットマウントであって、一方のマウント部を他方のマウント部に対して回動することにより着脱される。また、上述のように、レンズ側マウント部４０１は、ボディ側マウント部１０１に装着される。
【００２２】
第１マウント部２０２および第３マウント部３０１は、蟻溝式のマウント機構を有する。レンズアダプタ３００は、第１マウント部２０２の溝部２０２ａに、溝部２０２ａに対応した第３マウント部３０１の鍔部が紙面下方向にスライドしながら挿入されることにより、ボディアダプタ２００に装着される。
【００２３】
（ＢＡ側被覆部材５０１とＬＡ側被覆部材６０１に関連する構成）
ＢＡ側被覆部材５０１とボディアダプタ２００の本体は、図示を省略した蟻溝式等のスライド機構を有し、このスライド機構は、ＢＡ側被覆部材５０１の紙面上下方向の移動、すなわち摺動（スライド）を案内する。同様に、ＬＡ側被覆部材６０１とレンズアダプタ３００の本体は、図示を省略した溝式等のスライド機構を有し、ＬＡ側被覆部材６０１の紙面上下方向の移動、すなわち摺動を案内する。図２（ａ）および（ｂ）のように、ＢＡ側開口部５００を被覆するＢＡ側被覆部材５０１の位置と、ＬＡ側開口部６００を被覆するＬＡ側被覆部材６０１の位置を被覆位置と称する。
【００２４】
図２（ａ）および（ｂ）に示されるように、ＢＡ側被覆部材５０１はその表面に凸形状の突起部５０２を２個（上下１個ずつ）備え、ＬＡ側被覆部材６０１はその表面に凹部６０２を２個（ＢＡ側被覆部材５０１に対向した場合に、各突起部５０２に対応するように上下１個ずつ）備える。突起部５０２は凸形状を有し、弾性変形可能な材料で構成される。凹部６０２は、突起部５０２の形状に対応した凹形状を有する。第３マウント部３０１が第１マウント部２０２に装着（装着完了）されたとき、凹部６０２が突起部５０２と係合する（第３マウント部３０１と第１マウント部２０２とを装着する際には、図２（ａ）に示す第３マウント部３０１と図２（ｂ）に示す第１マウント部２０２は、向かい合わせの状態になる）。
【００２５】
図２（ａ）に示されるように、ＢＡ側被覆部材５０１の下端にはストラップ５０３の一端が固着されており、ストラップ５０３の他端部は第１マウント部２０２の外に突出している。ストラップ５０３のうち第１マウント部２０２の外に突出した部位は、ユーザが指で摘まめる程度の長さを有する。
【００２６】
図２（ａ）において、ボディアダプタ２００は、ＢＡ側被覆部材５０１の下にＢＡ側蓋部５０４を備える。図２（ｂ）において、レンズアダプタ３００は、ＬＡ側被覆部材６０１の下にＬＡ側蓋部６０４を備える。ＢＡ側蓋部５０４とＬＡ側蓋部６０４は、たとえばシリコンゴムなどの低弾性の材料で構成される。
【００２７】
図３に示される概略側面図のように、ＢＡ側被覆部材５０１とＬＡ側被覆部材６０１とが被覆位置にある状態では、ＢＡ側蓋部５０４とＬＡ側蓋部６０４は、ボディアダプタ２００とレンズアダプタ３００との間の隙間に水滴や粉塵などの異物が侵入することを抑制する。
【００２８】
図２（ａ）および図３に示されるように、ＢＡ側蓋部５０４の近傍のボディアダプタ２００の側面には、ＢＡ側拭取部材５０５が設けられている。図２（ｂ）および図３に示されるように、ＬＡ側蓋部６０４の近傍のレンズアダプタ３００の側面には、ＬＡ側拭取部材６０５が設けられている。これらＢＡ側拭取部材５０５とＬＡ側拭取部材６０５は、たとえば植毛紙などにより構成される。
【００２９】
図２（ａ）および図３に示されるように、ＢＡ側被覆部材５０１の上部には、ＢＡ側ヒンジ部５０６が設けられている。また、図２（ｂ）および図３に示されるように、ＬＡ側被覆部材６０１の上部には、ＬＡ側ヒンジ部６０６が設けられている。
【００３０】
ＢＡ側ヒンジ部５０６は、不図示の回転軸に一対のヒンジ片（羽板）を有し、この一方のヒンジ片はＢＡ側被覆部材５０１の上端に固着されているが、他方のヒンジ片はフリーであり何物にも固着されていない。ＬＡ側ヒンジ部６０６も同様に不図示の回転軸に一対のヒンジ片（羽板）を有し、この一方のヒンジ片はＬＡ側被覆部材６０１の上端に固着されているが、他方のヒンジ片はフリーであり何物にも固着されていない。したがって、ＢＡ側ヒンジ部５０６およびＬＡ側ヒンジ部６０６は、スライド機構を用いてＢＡ側被覆部材５０１およびＬＡ側被覆部材６０１を図３の紙面上下方向にスライドさせると、それに伴い一体的に紙面上下方向にスライドする。
【００３１】
ＢＡ側被覆部材５０１およびＬＡ側被覆部材６０１がストラップ５０３の引っ張りにより、被覆位置から図３の紙面下方向にスライドして図４に示す下端位置、すなわち非被覆位置に達すると、上述の他端のヒンジ片が第１マウント部２０２および第３マウント部３０１に設けられた不図示のロック部に係合する。この他方のヒンジ片が不図示のロック部に係合することにより、ＢＡ側被覆部材５０１およびＬＡ側被覆部材６０１がＢＡ側ヒンジ部５０６およびＬＡ側ヒンジ部６０６の不図示の回転軸を中心にそれぞれ矢印Ａ１およびＡ２方向に旋回可能となる。図５は、ＢＡ側被覆部材５０１およびＬＡ側被覆部材６０１がそれぞれの非被覆位置からボディアダプタ２００およびレンズアダプタ３００の下面の近傍位置まで旋回した様子を示す。以降、図５に示す位置を、退避位置と称する。
【００３２】
図５に示すように、ボディアダプタ２００およびレンズアダプタ３００の下面には、ＢＡ側係止部５１０およびＬＡ側係止部６１０が取り付けられている。退避位置のＢＡ側被覆部材５０１およびＬＡ側被覆部材６０１は、ＢＡ側係止部５１０およびＬＡ側係止部６１０の鉤部に係止される。
【００３３】
（交換レンズの装着）
雨天や粉塵などの環境中における、交換レンズ４００の装着について説明する。ユーザは、雨天や粉塵などの環境においてカメラシステム１を用いるとき、予めボディアダプタ２００にカメラボディ１００を装着し、レンズアダプタ３００に交換レンズ４００を装着しておく。このとき、ＢＡ側被覆部材５０１およびＬＡ側被覆部材６０１は共に被覆位置に設置しておく。
【００３４】
ユーザは、ボディアダプタ２００の第１マウント部２０２に、レンズアダプタ３００の第３マウント部３０１を挿入し、スライドさせる。突起部５０２がＬＡ側被覆部材６０１に当接すると、突起部５０２がわずかに弾性変形すると共に、ＢＡ側被覆部材５０１とＬＡ側被覆部材６０１との間がわずかに開く。これにより、２つの突起部５０２がそれぞれ対応する凹部６０２に係合するまでスライドさせることができる。各突起部５０２が各凹部６０２に到達すると、突起部５０２が元の形状に戻り、凹部６０２と係合する。このとき、ボディアダプタ２００の第１マウント部２０２に、レンズアダプタ３００の第３マウント部３０１が装着された状態となる。ＢＡ側被覆部材５０１とＬＡ側被覆部材６０１は、図３に示すように被覆位置にあり、対面して互いに接触する。
【００３５】
ユーザがストラップ５０３を図３の紙面下方向に引くと、突起部２０２と凹部３０２との係合により一体化したＢＡ側被覆部材５０１およびＬＡ側被覆部材６０１と、ＢＡ側ヒンジ部５０６およびＬＡ側ヒンジ部６０６とが一体的に紙面下方向にスライドする。このとき、ＢＡ側蓋部５０４およびＬＡ側蓋部６０４は、それぞれ弾性変形して、それらのスライドを許可する。ＢＡ側被覆部材５０１およびＬＡ側被覆部材６０１が図４に示す非被覆位置に到達したとき、ＢＡ側ヒンジ部５０６およびＬＡ側ヒンジ部６０６は、それぞれボディアダプタ２００およびレンズアダプタ３００の不図示のロック部に係合する。また、ＢＡ側蓋部５０４およびＬＡ側蓋部６０４は、元の形状に戻る。
【００３６】
第１マウント部２０２が第３マウント部３０１に装着されたとき、ＢＡ側被覆部材５０１とＬＡ側被覆部材６０１との間に異物が挟み込まれることがある。特に、雨天や粉塵が舞う環境では異物が挟み込まれやすい。第１マウント部２０２に第３マウント部３０１が装着された後に、ＢＡ側被覆部材５０１とＬＡ側被覆部材６０１とを非被覆位置までスライドさせることにより、ＢＡ側開口部５００やＬＡ側開口部６００を通る被写体光束の光路上に異物が残留することを防ぐことができる。また、ＢＡ側被覆部材５０１とＬＡ側被覆部材６０１が非被覆位置に到達したときにＢＡ側蓋部５０４およびＬＡ側蓋部６０４が元の形状に戻ることにより、ボディアダプタ２００とレンズアダプタ３００との間の隙間に水滴や粉塵などの異物が侵入することを抑制する。
【００３７】
ユーザは、非被覆位置にあるＢＡ側被覆部材５０１およびＬＡ側被覆部材６０１を、それらの退避位置まで矢印Ａ１および矢印Ａ２方向にそれぞれ旋回させる。このとき、第１マウント部２０２に第３マウント部３０１が装着されたときに、ＢＡ側被覆部材５０１とＬＡ側被覆部材６０１との間に挟み込まれた異物が落下する。
【００３８】
ユーザは、係止部５１０および係止部６１０を用いて、ＢＡ側被覆部材５０１およびＬＡ側被覆部材６０１を退避位置に係止させる。これにより、ＢＡ側被覆部材５０１およびＬＡ側被覆部材６０１が撮影の邪魔にならないようになり、撮影可能状態となる。
【００３９】
（交換レンズの取り外し）
ユーザは、交換レンズ４００を交換するとき、または撮影を終了したとき、レンズアダプタ３００をボディアダプタ２００から取り外す。このとき、ユーザは、前述の装着時の操作を逆に行う。ユーザがＢＡ側被覆部材５０１およびＬＡ側被覆部材６０１を非被覆位置から被覆位置に戻すとき、ＢＡ側拭取部材５０５とＬＡ側拭取部材６０５とにより、ＢＡ側被覆部材５０１およびＬＡ側被覆部材６０１に付着した異物を除去する。これにより、ＢＡ側開口部５００およびＬＡ側開口部６００に異物が混入することを予防することができる。
【００４０】
―第２の実施の形態―
本発明の第２の実施の形態について説明する。本発明の第２の実施の形態におけるボディアダプタおよびレンズアダプタも、図１と同様に、カメラボディとボディアダプタとレンズアダプタと交換レンズとによって構成されるカメラシステムに用いられる。第２の実施の形態によるボディアダプタとレンズアダプタとは、それらの開口部を被覆する被覆部材と、それらをスライドさせる機構が第１の実施の形態と異なる。
【００４１】
図６は、本発明の第２の実施の形態によるボディアダプタとレンズアダプタとを備えるカメラシステムの概略ブロック図である。図６に示すカメラシステム２は、レンズ交換式であって、カメラボディ１００とボディアダプタ１２００とレンズアダプタ１３００と交換レンズ４００とを備える。図６では第１の実施の形態と同一の構成については同一の符号が付されており、適宜その説明を省略する。
【００４２】
ボディアダプタ１２００には、第２マウント部２０１と第１マウント部２０２が設けられている。ボディアダプタ１２００の第２マウント部２０１は、カメラボディ１００のボディ側マウント部１０１に着脱可能に装着される。ボディアダプタ１２００の第１マウント部２０２には、レンズアダプタ１３００が着脱可能に装着される。
【００４３】
カメラボディ１００はバッテリ１０３を備え、ボディアダプタ１２００にはバッテリ１０３から電力が供給される。ボディアダプタ１２００は、バッテリ１０３から供給された電力を用いて、モータ２０３などを駆動する。モータ２０３については、後述する。
【００４４】
レンズアダプタ１３００には、第３マウント部３０１と第４マウント部３０２が設けられている。レンズアダプタ１３００の第３マウント部３０１は、ボディアダプタ１２００の第１マウント部２０２に着脱可能に装着される。レンズアダプタ１３００の第４マウント部３０２には、交換レンズ４００が着脱可能に装着される。
【００４５】
図７（ａ）は、ボディアダプタ１２００を第１マウント部２０２側から見た正面図である。以降、ボディアダプタ１２００のことを、ボディアダプタ２００と同様にＢＡと略記することがある。図７（ａ）に示すように第１マウント部２０２の内側には、被写体からの光束が通過するＢＡ側開口部１５００を有する。
【００４６】
ＢＡ側開口部１５００は、ＢＡ側被覆部材１５０１により被覆されている。ＢＡ側被覆部材１５０１は、防滴性、防塵性、可撓性を有する長尺なフィルムである。ＢＡ側被覆部材１５０１は、ロール状に丸めて収納可能であると共によじれや皺が起きない程度の柔軟性と強度を有する。ＢＡ側開口部１５００がＢＡ側被覆部材１５０１により被覆されているとき、第１マウント部２０２に水滴や粉塵などの異物が侵入しない。
【００４７】
図７（ａ）に示されるように、ボディアダプタ１２００は、ＢＡ側供給カセット１５０２とＢＡ側巻取カセット１５０３とを備える。ＢＡ側供給カセット１５０２とＢＡ側巻取カセット１５０３とは、ＢＡ側開口部１５００を上下に挟んで着脱可能に取り付けられる。ＢＡ側供給カセット１５０２には、ＢＡ側被覆部材１５０１がロール状に収納され、スリットを介して引き出される。
【００４８】
ＢＡ側供給カセット１５０２から引き出されたＢＡ側被覆部材１５０１の一端は、ＢＡ側巻取カセット１５０３の不図示のスリットを通り、ＢＡ側巻取カセット１５０３に内蔵された不図示の固定部に固定される。ＢＡ側巻取カセット１５０３は、不図示のスプールを回転させることによち、ＢＡ側被覆部材１５０１をスプールの回りに巻き取る。ＢＡ側開口部１５００は、ＢＡ側供給カセット１５０２から引き出されてＢＡ側巻取カセット１５０３の内部に巻き取られまでのＢＡ側被覆部材１５０１により被覆される。
【００４９】
図７（ｂ）は、レンズアダプタ１３００を第３マウント部３０１側から見た正面図である。以降、レンズアダプタ１３００のことを、レンズアダプタ３００と同様にＬＡと略記することがある。図７（ｂ）に示すように第３マウント部３０１の内側には、被写体からの光束が通過するＬＡ側開口部１６００を有する。
【００５０】
ＬＡ側開口部１６００は、ＬＡ側被覆部材１６０１により被覆されている。
ＬＡ側被覆部材１６０１は、防滴性、防塵性、可撓性を有する長尺なフィルムである。ＬＡ側被覆部材１６０１は、ロール状に丸めて収納可能であると共によじれや皺が起きない程度の柔軟性と強度を有する。ＬＡ側開口部１６００がＬＡ側被覆部材１６０１により被覆されているとき、第３マウント部３０１に水滴や粉塵などの異物が侵入しない。
【００５１】
図７（ｂ）に示されるように、レンズアダプタ１３００は、ＬＡ側供給カセット１６０２とＬＡ側巻取カセット１６０３とを備える。ＬＡ側供給カセット１６０２とＬＡ側巻取カセット１６０３とは、ＬＡ側開口部１６００を上下に挟んで着脱可能に取り付けられる。ＬＡ側供給カセット１６０２には、ＬＡ側被覆部材１６０１がロール状に収納され、スリットを介して引き出される。ＬＡ側供給カセット１６０２から引き出されたＬＡ側被覆部材１６０１は、ＬＡ側巻取カセット１６０３により巻き取られる。ＬＡ側巻取カセット１６０３は、その内部に巻き取ったＬＡ側被覆部材１６０１を収納する。ＬＡ側開口部１６００は、ＬＡ側供給カセット１６０２から引き出されてＬＡ側巻取カセット１６０３の内部に巻き取られまでのＬＡ側被覆部材１６０１により被覆される。
【００５２】
図７（ａ）および（ｂ）に示されるように、ＢＡ側巻取カセット１５０３とＬＡ側巻取カセット１６０３との脇にはそれぞれ第１ギヤ１５０４と第２ギヤ１６０４が設けられている。第１ギヤ１５０４と第２ギヤ１６０４は、第１マウント部２０２に第３マウント部３０１が装着されたときに互いに噛みあい、ＢＡ側巻取カセット１５０３とＬＡ側巻取カセット１６０３の駆動機構を構成する。
【００５３】
図８は、ＢＡ側巻取カセット１５０３とＬＡ側巻取カセット１６０３の駆動機構の概略図である。図８では、第１マウント部２０２に第３マウント部３０１が装着された状態における、ＢＡ側巻取カセット１５０３とＬＡ側巻取カセット１６０３の駆動機構が図示されている。
【００５４】
ボディアダプタ１２００は、第１ギヤ１５０４の他に、第３ギヤ１５０５と駆動ギヤ２０３ｇとを備える。第１ギヤ１５０４には、第３ギヤ１５０５とレンズアダプタ１３００の第２ギヤ１６０４とが噛合する。第３ギヤ１５０５は、第１ギヤ１５０４と図６に示したモータ２０３の駆動ギヤ２０３ｇと噛合している。第３ギヤ１５０５は、ＢＡ側巻取カセット１５０３がボディアダプタ１２００に装着されたとき、第３ギヤ１５０５のシャフト１５０６がＢＡ側巻取カセット１５０３の不図示のスプールと連結する。モータ２０３による駆動ギヤ２０３ｇの回転は、第３ギヤ１５０５に伝わりシャフト１５０６を回転させてＢＡ側被覆部材１５０１を巻き取り駆動力となる。
【００５５】
レンズアダプタ１３００は、第２ギヤ１６０４の他に第４ギヤ１６０５を備える。レンズアダプタ１３００の第２ギヤ１６０４は、第１ギヤ１５０４の他に第４ギヤ１６０５と噛合する。第４ギヤ１６０５は、ＬＡ側巻取カセット１６０３がレンズアダプタ１３００に装着されたとき、第４ギヤ１６０５のシャフト１６０６がＬＡ側巻取カセット１６０３に挿入される。第４ギヤ１６０５は、ＬＡ側巻取カセット１６０３がレンズアダプタ１３００に装着されたとき、第４ギヤ１６０５のシャフト１６０６がＬＡ側巻取カセット１６０３の不図示のスプールと連結する。
【００５６】
第４ギヤ１６０５には、モータ２０３による駆動ギヤ２０３ｇのシャフトの回転が第３ギヤ１５０５と第１ギヤ１５０４と第２ギヤ１６０４とを介在させて伝達される。ＬＡ側巻取カセット１６０３によるＬＡ側被覆部材１６０１の巻き取りを、ボディアダプタ１２００側のモータ２０３の駆動力を用いて実行することにより、レンズアダプタ１３００側にモータを設ける必要が無い。これにより、少なくともＬＡ側被覆部材１６０１の巻き取り駆動を行うためにレンズアダプタ１３００側にバッテリを要しない。
【００５７】
図９は、第２の実施の形態におけるボディアダプタ１２００の第１マウント部２０２にレンズアダプタ１３００の第３マウント部３０１が装着されたときの結合部に関する概略側面図である。図９に示されるように、ＢＡ側被覆部材１５０１とＬＡ側被覆部材１６０１とは、対面する位置関係にあり、ほぼ接触状態にある。
【００５８】
ＢＡ側被覆部材１５０１およびＬＡ側被覆部材１６０１の部位がそれぞれＢＡ側開口部１５００およびＬＡ側開口部１６００を被覆するとき、その部位は被覆位置にある。一方、ＢＡ側被覆部材１５０１およびＬＡ側被覆部材１６０１の部位がそれぞれＢＡ側巻取カセット１５０３およびＬＡ側巻取カセット１６０３に巻き取られたとき、その部位は非被覆位置にある。
【００５９】
図８に示したように、第３ギヤ１５０５と第４ギヤ１６０５との間に第１ギヤ１５０４と第２ギヤ１６０４という二つのギヤが介在するため、第３ギヤ１５０５のシャフト１５０６の回転と第４ギヤ１６０５のシャフト１６０６の回転とは逆回転である。シャフト１５０６とシャフト１６０６が逆回転することにより、図９のように対面したＢＡ側被覆部材１５０１とＬＡ側被覆部材１６０１とは同一方向にスライドする。
【００６０】
図１０は、ロール状のＢＡ側被覆部材１５０１を伸ばした状態を示した図である。図１０の紙面垂直方向手前側に向いている面は、図７（ａ）の紙面垂直方向手前側に向けて設置される面である。
【００６１】
図１０に示されるように、ＢＡ側被覆部材１５０１は、被写体光束を透過する透明フィルム部８００と、粘着性を有する粘着フィルム部８０１とが交互に設けられている。透明フィルム部８００の長さＬは、図７（ａ）に示したＢＡ側開口部１５００を十分被覆できる程度に大きい。ＬＡ側被覆部材１６０１も図１０と同様に、透明フィルム部８００と、粘着フィルム部８０１とが交互に設けられている。
【００６２】
図９のようにＢＡ側被覆部材１５０１とＬＡ側被覆部材１６０１とがほぼ接触した位置関係にある状態において、粘着フィルム部８０１は、ＢＡ側被覆部材１５０１とＬＡ側被覆部材１６０１との間に挟まった異物を除去することに用いられる。ほぼ接触したＢＡ側被覆部材１５０１の粘着フィルム部８０１とＬＡ側被覆部材１６０１の粘着フィルム部８０１とにより異物を絡め取り、ＢＡ側被覆部材１５０１とＬＡ側被覆部材１６０１を同一方向にスライドさせることにより、異物を粘着フィルム部８０１と共に移動させる。このようにすることで、ＢＡ側開口部１５００やＬＡ側開口部１６００を通る被写体光束の光路上に異物が残留することを防ぐことができる。
【００６３】
（モータ２０３の駆動制御）
図１１は、モータ２０３の駆動に関するボディアダプタ１２００の制御ブロック図である。ボディアダプタ１２００は、モータ２０３と、ＣＰＵ２０４と、供給カセット検出センサ２０５と、巻取カセット検出センサ２０６と、レンズアダプタ検出センサ２０７と、巻き取りスイッチ２０８とを備える。
【００６４】
ＣＰＵ２０４は、供給カセット検出センサ２０５と、巻取カセット検出センサ２０６と、レンズアダプタ検出センサ２０７と、巻き取りスイッチ２０８とからの入力に基づいて、モータ２０３を駆動する。
【００６５】
供給カセット検出センサ２０５は、ＢＡ側供給カセット１５０２が装着されていることを検出する。巻取カセット検出センサ２０６は、ＢＡ側巻取カセット１５０３が装着されていることを検出する。レンズアダプタ検出センサ２０７は、第１マウント部２０２にレンズアダプタ１３００が装着されていることを検出する。巻き取りスイッチ２０８は、モータ２０３を駆動させてＢＡ側被覆部材１５０１およびＬＡ側被覆部材１６０１の巻き取りを指示するために操作されるスイッチである。
【００６６】
ＣＰＵ２０４は、たとえば、（１）巻き取りスイッチ２０８により巻き取り指示操作が行われた場合、（２）供給カセット検出センサ２０５がＢＡ側供給カセット１５０２の装着を検出し、巻取カセット検出センサ２０６がＢＡ側巻取カセット１５０３の装着を検出し、レンズアダプタ検出センサ２０７がレンズアダプタ１３００が装着されたことを検出した場合などにモータ２０３を駆動させる。
【００６７】
（交換レンズの装着）
雨天や粉塵などの環境中における、交換レンズ４００の装着について説明する。第２の実施の形態では、ユーザは、雨天や粉塵などの環境においてカメラシステム２を用いるとき、予めボディアダプタ１２００にカメラボディ１００を装着し、レンズアダプタ１３００に交換レンズ４００を装着しておく。また、ボディアダプタ１２００には、ＢＡ側供給カセット１５０２とＢＡ側巻取カセット１５０３とが予め装着されている。一方、レンズアダプタ１３００には、ＬＡ側供給カセット１６０２とＬＡ側巻取カセット１６０３とが予め装着されている。
【００６８】
ユーザは、ボディアダプタ１２００の第１マウント部２０２に、レンズアダプタ１３００の第３マウント部３０１を挿入し、スライドさせる。これにより、第１マウント部２０２に第３マウント部３０１が装着される。
【００６９】
ＣＰＵ２０４は、第１マウント部２０２に第３マウント部３０１が装着されたこと、すなわちレンズアダプタ１３００が装着されたことがレンズアダプタ検出センサ２０７により検出されたとき、粘着フィルム部８０１がＢＡ側開口部１５００を通過すると共に、モータ２０３停止時に透明フィルム部８００がＢＡ側開口部１５００を被覆した状態になるようにモータ２０３を駆動する。これにより、新しい透明フィルム部８００がＢＡ側開口部１５００およびＬＡ側開口部１６００を被覆することになり、撮影可能状態となる。
【００７０】
（交換レンズの取り外し）
ユーザは、交換レンズ４００を交換するときまたは撮影を終了するとき、レンズアダプタ１３００と共にボディアダプタ１２００から取り外す。各供給カセットに収納されていた被覆部材をすべて使用した場合は、供給カセットと巻取カセットを、新たな供給カセットと巻取カセットに交換可能である。
【００７１】
以上で説明した実施の形態によれば、以下の作用効果が得られる。
カメラシステム１は、カメラボディ１００と、ボディアダプタ２００と、レンズアダプタ３００と、交換レンズ４００とを備える。
ボディアダプタ２００は、ＢＡ側開口部５００の外側に設けられ、レンズアダプタ３００が着脱可能に装着される第１マウント部２０２と、カメラボディ１００に着脱可能に装着される第２マウント部２０１と、図３に示すようなＢＡ側開口部５００を被覆する被覆位置と、図４に示すようにＢＡ側開口部５００を被覆しない非被覆位置との間を移動可能なＢＡ側被覆部材５０１と、それらの被覆位置と非被覆位置との間におけるＢＡ側被覆部材５０１の移動を案内する蟻溝機構やストラップ５０３を備える。
レンズアダプタ３００は、ＬＡ側開口部６００の外側に設けられ、第１マウント部２０２が着脱可能に装着される第３マウント部３０１と、交換レンズ４００に着脱可能に装着される第４マウント部３０２と、図３に示すようにＬＡ側開口部６００を被覆する被覆位置と、図４に示すようにＬＡ側開口部６００を被覆しない非被覆位置との間を移動可能なＬＡ側被覆部材６０１と、それらの被覆位置と非被覆位置との間におけるＬＡ側被覆部材６０１の移動を案内する蟻溝機構と凹部６０２とを備える。
カメラシステム１では、レンズ交換時に異物が付着したＢＡ側被覆部材５０１およびＬＡ側被覆部材６０１を非被覆位置にスライドさせることができるため、異物が撮像画像を劣化させない。
【００７２】
カメラシステム２は、カメラボディ１００と、ボディアダプタ１２００と、レンズアダプタ１３００と、交換レンズ４００とを備える。
ボディアダプタ１２００は、ＢＡ側開口部１５００の外側に設けられ、レンズアダプタ１３００が着脱可能に装着される第１マウント部２０２と、カメラボディ１００に着脱可能に装着される第２マウント部２０１と、図９に示すようなＢＡ側開口部１５００を被覆する被覆位置と、ＢＡ側巻取カセット１５０３に巻き取られた非被覆位置との間を移動可能なＢＡ側被覆部材１５０１と、それらの被覆位置と非被覆位置との間におけるＢＡ側被覆部材の移動を案内するＢＡ側巻取カセット１５０３とを備える。
レンズアダプタ１３００は、ＬＡ側開口部１６００の外側に設けられ、第１マウント部２０２が着脱可能に装着される第３マウント部３０１と、交換レンズ４００に着脱可能に装着される第４マウント部３０２と、図９に示すようなＬＡ側開口部１６００を被覆する被覆位置と、ＢＡ側巻取カセット１５０３に巻き取られた非被覆位置との間を移動可能なＬＡ側被覆部材１６０１と、それらの被覆位置と非被覆位置との間におけるＬＡ側被覆部材１６０１の移動を案内するＬＡ側巻取カセット１６０３とを備える。
カメラシステム１では、レンズ交換時に異物が付着したＢＡ側被覆部材１５０１およびＬＡ側被覆部材１６０１を非被覆位置にスライドさせることができるため、異物が撮像画像を劣化させない。
【００７３】
以上で説明した実施の形態は、以下のように変形して実施できる。
（変形例１）
第１の実施の形態では、ＢＡ側被覆部材５０１に突起部５０２を設け、ＬＡ側被覆部材６０１に凹部６０２を設けたが、突起部５０２と凹部６０２とを入れ替えてもよい。また、突起部５０２と凹部６０２の設置位置および個数は、図２（ａ）および（ｂ）に示したものだけに限定しない。また、ＢＡ側被覆部材５０１とＬＡ側被覆部材６０１は、突起部５０２と凹部６０２以外のものを用いて係合することにしてもよい。たとえば、磁石を用いて係合することにしてもよい。
【００７４】
（変形例２）
第２の実施の形態では、ボディアダプタ１２００がモータ２０３を備えることにしたが、レンズアダプタ１３００もモータ２０３を備えることにしてもよい。レンズアダプタ１３００がモータ２０３を備える場合、第１ギヤ１５０４と第２ギヤ１６０４が不要となる代わりに、ボディアダプタ１２００とレンズアダプタ１３００との間で通信を行いモータ駆動の同期制御を行うことが望ましい。また、レンズアダプタ１３００がモータ２０３を備える場合、そのモータ２０３による駆動力を第１ギヤ１５０４と第２ギヤ１６０４とを介してボディアダプタ１２００に伝達するように駆動機構を構成してもよい。
【００７５】
（変形例３）
図８では、第３ギヤ１５０５と第４ギヤ１６０５との間に介在させるギヤの枚数を２枚とした。しかし、ＢＡ側被覆部材１５０１とＬＡ側被覆部材１６０１が同一方向にスライドするように構成されていれば、ギヤの枚数は２枚でなくてもよい。たとえば、ギヤの枚数が偶数枚（０枚を含む）であれば、ＢＡ側被覆部材１５０１とＬＡ側被覆部材１６０１が同一方向にスライドする。
【００７６】
（変形例４）
図８では、モータ２０３の駆動ギヤ２０３ｇを第１ギヤ１５０４とは別に設けたが、モータ２０３の駆動ギヤ２０３ｇを第１ギヤ１５０４として用いることにしてもよい。
【００７７】
（変形例５）
第２の実施の形態では、ＢＡ側被覆部材１５０１とＬＡ側被覆部材１６０１との両方が粘着フィルム部８０１を有することとしたが、ＢＡ側被覆部材１５０１とＬＡ側被覆部材１６０１のいずれか片方のみが粘着フィルム部８０１を有することにしてもよい。
【００７８】
（変形例６）
第２の実施の形態は、図１２に示すように、ＢＡ側供給カセット１５０２とＢＡ側巻取カセット１５０３が一体となったフィルムカセット２０００として構成してもよい。図１２に示すフィルムカセット２０００には、第３ギヤ１５０５のシャフト１５０６が挿入される挿入穴２００１と、窓部２００２とが設けられている。窓部２００２は、ＢＡ側開口部１５００よりも大きく、ＢＡ側被覆部材１５０１により被覆されている。ＬＡ側供給カセット１６０２とＬＡ側巻取カセット１６０３についても同様にそれらが一体となったフィルムカセットとして構成してもよい。
【００７９】
ユーザは、第１マウント２０２の正面からフィルムカセット２０００を挿入して巻き取りスイッチ２０８を操作することにより、簡便にＢＡ側供給カセット１５０２とＢＡ側巻取カセット１５０３とをボディアダプタ２００に装着して、ＢＡ側開口部１５００をＢＡ側被覆部材１５０１に被覆させることができる。たとえば、ユーザがＢＡ側供給カセット１５０２からＢＡ側被覆部材１５０１の一端を引き出して、ＢＡ側巻取カセット１５０３の不図示の固定部にその一端を固定する作業を省略することができる。
【００８０】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００８１】
１，２  カメラシステム
１００  カメラボディ
２００，１２００  ボディアダプタ
２０１  第２マウント部
２０２  第１マウント部
２０３  モータ
３００，１３００  レンズアダプタ
３０１  第３マウント部
３０２  第４マウント部
４００  交換レンズ
５００  ＢＡ側開口部
５０１  ＢＡ側被覆部材
５０２  ＢＡ側係合部
５０３  ストラップ
５０４  ＢＡ側蓋部
５０５  ＢＡ側拭取部材
５０６  ＢＡ側ヒンジ部
６００  ＬＡ側開口部
６０１  ＬＡ側被覆部材
６０２  ＬＡ側係合部
６０４  ＬＡ側蓋部
６０５  ＬＡ側拭取部材
６０６  ＬＡ側ヒンジ部
６１０  ＬＡ側係止部
８００  透明フィルム部
８０１  粘着フィルム部
１２００  ボディアダプタ
１３００  レンズアダプタ
１５００  ＢＡ側開口部
１５０１  ＢＡ側被覆部材
１５０２  ＢＡ側供給カセット
１５０３  ＢＡ側巻取カセット
１６００  ＬＡ側開口部
１６０１  ＬＡ側被覆部材
１６０２  ＬＡ側供給カセット
１６０３  ＬＡ側巻取カセット
２０００  フィルムカセット
【図１】
2014232212.tif 000003
【図２】
2014232212.tif 000004
【図３】
2014232212.tif 000005
【図４】
2014232212.tif 000006
【図５】
2014232212.tif 000007
【図６】
2014232212.tif 000008
【図７】
2014232212.tif 000009
【図８】
2014232212.tif 000010
【図９】
2014232212.tif 000011
【図１０】
2014232212.tif 000012
【図１１】
2014232212.tif 000013
【図１２】
2014232212.tif 000014